(57)【要約】【課題】製造が容易とされ、製造コストが低減される化粧用塗布具を提供することを課題とする。【解決手段】化粧料の塗布を可能とする先端部３ａが容器１，４から突出すると共に軸線方向に延びる塗布体３の各々を、連結手段５によって一体的に連結するようにし、バラバラであると例えば中綿２等に差し込む際に当該中綿２より受ける抵抗によって極めて揃え難い先端部３ａを、容易に揃えることを可能とすると共に、組み立ての際の取扱性を一体化により向上し、その結果、製造を容易とし、製造コストを低減する。【選択図】図１
2010207301.tif 000002
【特許請求の範囲】
【請求項１】
化粧料の塗布を可能とする先端部が容器から突出すると共に軸線方向に延びる塗布体を、複数備えた化粧用塗布具において、
前記複数の塗布体は、連結手段により一体的に連結されていることを特徴とする化粧用塗布具。
【請求項２】
前記連結手段は、前記複数の塗布体を一体的に連結する溶着部であることを特徴とする請求項１記載の化粧用塗布具。
【請求項３】
前記連結手段は、前記複数の塗布体を一体的に連結する連結部材であることを特徴とする請求項１記載の化粧用塗布具。
【請求項４】
前記複数の塗布体の先端部は、当該塗布体の並設方向に沿って斜めにずれて並ぶことを特徴とする請求項１〜３の何れか一項に記載の化粧用塗布具。
【請求項５】
前記複数の塗布体のうち、少なくとも一つの塗布体は、他の塗布体と異なる材質から形成されていることを特徴とする請求項１〜４の何れか一項に記載の化粧用塗布具。
【発明の詳細な説明】
【技術分野】
【０００１】
本発明は、化粧用塗布具に関する。
【背景技術】
【０００２】
従来、液状化粧料を睫毛の生え際に塗布しアイラインを描く化粧用塗布具として、以下の特許文献１のものが知られている。この特許文献１に記載の化粧用塗布具にあっては、細長の塗布体を容器内に収容すると共に当該容器から塗布体の先端部が突出する一方で、容器内に収容され液状化粧料を含浸している中綿に塗布体の後端部が差し込まれることによって、毛細管現象により液状化粧料を吸い上げ、塗布体の先端部から液状化粧料の塗布を行い得る構成とされている。
【０００３】
この化粧用塗布具では、隣り合う睫毛根元間の複数箇所に同時打点し当該睫毛根元間を塗りつぶし得るように、塗布体が複数本並べて用いられるか、又は、先端部が複数に先分かれしている塗布体が用いられる。
【先行技術文献】
【特許文献】
【０００４】
【特許文献１】実用新案登録第３１３７５６２号公報
【発明の概要】
【発明が解決しようとする課題】
【０００５】
しかしながら、上記化粧用塗布具にあって、塗布体を複数本並べて用いる場合には、容器内の中綿に塗布体を差し込む際に当該中綿の抵抗により、各塗布体の差し込み具合が異なり塗布体の先端部の位置が揃わなくなってしまうため、生産性が非常に悪いといった問題がある。また、上記化粧用塗布具にあって、先端部が複数に先分かれしている塗布体を用いる場合には、その製造に高度な技術を要するため、実現させるのは技術的に難しい。
【０００６】
本発明は、このような課題を解決するために成されたものであり、製造が容易とされ、製造コストが低減される化粧用塗布具を提供することを課題とする。
【課題を解決するための手段】
【０００７】
本発明による化粧用塗布具は、化粧料の塗布を可能とする先端部が容器から突出すると共に軸線方向に延びる塗布体を、複数備えた化粧用塗布具において、複数の塗布体は、連結手段により一体的に連結されていることを特徴としている。
【０００８】
このような化粧用塗布具によれば、化粧料の塗布を可能とする先端部が容器から突出すると共に軸線方向に延びる塗布体の各々が、連結手段により一体的に連結されるため、バラバラであると例えば中綿等に差し込む際に当該中綿より受ける抵抗によって極めて揃え難い先端部が、容易に揃えられると共に、組み立ての際の取扱性が一体化により向上され、その結果、製造が容易とされ、製造コストが低減される。
【０００９】
ここで、上記作用を効果的に奏する構成としては、具体的には、連結手段は、複数の塗布体を一体的に連結する溶着部とする構成が挙げられる。
【００１０】
また、連結手段は、複数の塗布体を一体的に連結する連結部材としても良い。この連結部材を用いた場合には、連結部材の塗布体に対する軸線方向の連結位置を予め決めておくことにより、連結部材を容器内の所定位置に配置すれば、塗布体先端部の容器からの突出長が決まるため、製造が一層容易とされる。
【００１１】
また、複数の塗布体の先端部は、当該塗布体の並設方向に沿って斜めにずれて並ぶ構成であるのが好ましい。このような構成を採用した場合、例えば睫毛や眉毛等の被塗布部に化粧料を塗布する化粧用塗布具の場合には、複数の塗布体の先端部の全てを同時に被塗布部に接触するように塗布する際に、当該化粧用塗布具を目に対して正対させずに（垂直ではなく）、先端部が並ぶ斜め方向に傾けて塗布することになり、その結果、鏡を見ながらの塗布にあって化粧用塗布具が邪魔にならず塗布が容易とされる。
【００１２】
また、複数の塗布体のうち、少なくとも一つの塗布体は、他の塗布体と異なる材質から形成されていると、強度の違う材質を用いることで、例えば、適度な使用感を保ちつつ製品強度を上げることができる。
【発明の効果】
【００１３】
このように本発明によれば、製造が容易であり、製造コストを低減できる化粧用塗布具を提供できる。
【図面の簡単な説明】
【００１４】
【図１】本発明の第一実施形態に係る化粧用塗布具を示す縦断面図である。
【図２】図１のII-II矢視図であり、キャップを取り外した図である。
【図３】図２中の塗布体及びスリーブを抽出して示す斜視図である。
【図４】図３に示す塗布体及びスリーブの正面図である。
【図５】本発明の第二実施形態に係る化粧用塗布具の塗布体及びスリーブを示す斜視図である。
【図６】本発明の第三実施形態に係る化粧用塗布具を示す縦断面図である。
【図７】図６のVII-VII矢視図であり、キャップを取り外した図である。
【図８】図７中の塗布体、連結部材及びスリーブを抽出して示す斜視図である。
【図９】図８に示す塗布体、連結部材及びスリーブの背面図である。
【発明を実施するための形態】
【００１５】
以下、本発明による化粧用塗布具の好適な実施形態について図１〜図９を参照しながら説明する。なお、各図において、同一の要素には同一の記号を付し、重複する説明は省略する。
【００１６】
図１〜図４は、本発明の第一実施形態を、図５は、本発明の第二実施形態を、図６〜図９は、本発明の第三実施形態を各々示すものであり、先ず、図１〜図４に示す第一実施形態を説明する。
【００１７】
図１は、本発明の第一実施形態に係る化粧用塗布具を示す縦断面図、図２は、図１のII-II矢視図であり、キャップを取り外した図、図３は、図２中の塗布体及びスリーブを抽出して示す斜視図、図４は、図３に示す塗布体及びスリーブの正面図であり、本実施形態の化粧用塗布具１００は、睫毛の生え際に化粧料であるアイライナー液を塗布し目の輪郭を強調するためのものである。
【００１８】
図１及び図２に示すように、化粧用塗布具１００は、有底円筒状を成す本体筒１内に収容されアイライナー液を含浸した中綿２に、軸線方向に延在する複数本の細長の塗布体３のその後半部（図示右側）が差し込まれると共に、図３及び図４に示すように、当該塗布体３が、本体筒１の先端に装着した筒状スリーブ４のその長円状を成す筒孔４ａに通されてその先端部３ａが外部に突出する構成とされ、毛細管現象により中綿２からアイライナー液を吸い上げ、塗布体３の先端部３ａからアイライナー液の塗布を行い得るようになっている。そして、塗布体３は、ここでは、例えばポリエステルから形成され、３本が一列に並列される。また、本体筒１及びスリーブ４等から外郭が構成される容器は例えばＰＰから形成され、中綿２は例えばポリエステルから形成される。なお、図１に示すように、容器の先端には、塗布体３の先端部３ａを保護するためのキャップ９が着脱自在に装着される。
【００１９】
各塗布体３は、ここでは、その先端部３ａ同士が、被塗布部となる隣り合う睫毛根元間の複数箇所（本実施形態では３箇所）に同時打点し得る間隔で並設され、その間隔は、平均的な消費者の有する隣り合う睫毛根元同士の間隔である０．９〜１．５ｍｍとされている。
【００２０】
そして、特に本実施形態にあっては、複数本の塗布体３が、図１及び図３に示すように、溶着部（連結手段）５により一体的に連結されている。この溶着部５は溶着により形成され、本実施形態では、組み立てに支障のない位置となる塗布体３の後端側に設けられている。
【００２１】
このように、本実施形態によれば、塗布体３の各々が、溶着部５により一体的に連結されているため、バラバラであると中綿２に差し込む際に当該中綿２より受ける抵抗によって極めて揃え難い先端部３ａが、容易に揃えられると共に、組み立ての際の取扱性が一体化により向上されている。このため、製造が容易とされ、製造コストが低減されている。
【００２２】
図５は、本発明の第二実施形態に係る化粧用塗布具の塗布体及びスリーブを示す斜視図であり、図３に対応する図である。
【００２３】
この第二実施形態が先の第一実施形態と違う点は、複数の塗布体３の先端部３ａを、当該塗布体３の並設方向（図１の上下方向）に沿って斜めにずれて並ぶ（その先端部３ａが先端直交面との成す角θの線に沿ってずれる）ようにした点であり、溶着部５により複数本の塗布体３を一体的に連結している点は第一実施形態と同様である。
【００２４】
このような第二実施形態にあっても、第一実施形態と同様な作用・効果を奏するというのはいうまでもなく、加えて、複数の塗布体３の先端部３ａの全てを同時に被塗布部である睫毛根元間の複数箇所に接触する（同時打点する）ように塗布する際に、当該化粧用塗布具を目に対して正対させずに（垂直ではなく）、先端部３ａが並ぶ斜め方向に傾けて塗布することになり、その結果、鏡を見ながらの塗布にあって化粧用塗布具が邪魔にならず塗布が容易とされるという作用・効果も奏する。
【００２５】
図６は、本発明の第三実施形態に係る化粧用塗布具を示す縦断面図、図７は、図６のVII-VII矢視図であり、キャップを取り外した図、図８は、図７中の塗布体、連結部材及びスリーブを抽出して示す斜視図、図９は、図８に示す塗布体、連結部材及びスリーブの背面図である。
【００２６】
図６〜図９に示すように、この第三実施形態の化粧用塗布具３００が第一実施形態の化粧用塗布具１００と違う点は、溶着部５に代えて、複数の塗布体３を一体的に連結する連結部材（連結手段）６を用いた点である。
【００２７】
この連結部材６は、筒状を成しその外形が長円状に構成されると共に長円状を成す筒孔６ａを有し、当該筒孔６ａに塗布体３をそれぞれ通しこれらの塗布体３を連結するものであり、ここでは、熱収縮チューブとされている。この熱収縮チューブとは、塗布体３の各々を筒孔６ａに通しその状態でチューブを加熱することにより当該チューブを収縮させて塗布体３を連結するものである。
【００２８】
なお、連結部材６の構成は、熱収縮チューブに限定されるものではなく、例えば、樹脂成形品や、金属パイプや、リング状の弾性体等を用いることができる。具体的には、樹脂成形品の場合には、当該樹脂成形品の筒孔に塗布体３を圧入することで塗布体３を連結でき、金属パイプの場合には、当該金属パイプの筒孔に塗布体３を挿入しこの金属パイプをかしめることで塗布体３を連結でき、リング状の弾性体の場合には、当該リング状の弾性体を延ばして塗布体３を挿入しこのリング状の弾性体が収縮することで塗布体３を連結できる。
【００２９】
このような第三実施形態にあっても、連結部材６により複数の塗布体３を一体的に連結することによる作用・効果を、第一実施形態と同様に奏するというのはいうまでもなく、加えて、連結部材６の塗布体３に対する軸線方向の連結位置を予め決めておくことにより、連結部材６を容器内の所定位置に配置すれば、具体的には、図６及び図７に示すように、連結部材６をスリーブ４の後端の開口から内挿して当該連結部材６の先端面を、スリーブ４の段差面４ｂ突き当てるように位置決めすれば、塗布体３の先端部３ａの容器（スリーブ４）からの突出長が決まることになり、製造が一層容易とされるという作用・効果を奏する。
【００３０】
因みに、この第三実施形態にあっても、連結部材６を用いるのに加えて、複数の塗布体３の先端部３ａを、第二実施形態と同様に、当該塗布体３の並設方向に沿って斜めにずれて並ぶように構成することもできる。
【００３１】
また、さらに他の実施形態として、複数の塗布体３のうち、少なくとも一つの塗布体を、他の塗布体と異なる材質から形成するのが好ましい。これは、例えば、使用感を高めるべく全ての塗布体３を軟らかい材質で形成すると化粧用塗布具を例えば落としたときの製品強度が低くなり、一方、製品強度を高めるべく全ての塗布体３を硬い材質で形成すると使用感が悪化するという問題を解消するための構成であり、例えば、真ん中の塗布体に強度の高い材質を用いたり、両サイドの塗布体に強度の高い材質を用いる等、複数の塗布体３のうち、少なくとも一つの塗布体を、他の塗布体と異なる材質から形成することによって、適度な使用感を保ちつつ製品強度を上げることができる。そして、このように、材質が違う塗布体を組み合わせて使用する場合には、各々の塗布体をばらで製造しなければならないため、溶着部５や連結部材６等により複数の塗布体３を一体的に連結するという本発明が特に効果的である。
【００３２】
以上、本発明をその実施形態に基づき具体的に説明したが、本発明は上記実施形態に限定されるものではなく、例えば、各々の塗布体３を溶着により連結する場合には、接着に代えても良い。
【００３３】
また、連結部材を用いる場合には、連結部材と各塗布体３とを例えば溶着や接着等により連結するようにしても良い。
【００３４】
また、上記実施形態においては、特に好適であるとして、化粧料をアイライナー液とし化粧用塗布具を睫毛に対して適用しているが、例えば、化粧料をアイブロウ液とし眉毛に対して適用することも可能であり、要は、化粧料の塗布を可能とする先端部３ａが容器から突出すると共に軸線方向に延びる塗布体３を、複数備えた化粧用塗布具に対して適用可能である。
【符号の説明】
【００３５】
１…本体筒（容器）、２…中綿、３…塗布体、３ａ…塗布体の先端部、４…スリーブ（容器）、５…溶着部（連結手段）、６…連結部材（連結手段）、１００，３００…化粧用塗布具。
【図１】
2010207301.tif 000003
【図２】
2010207301.tif 000004
【図３】
2010207301.tif 000005
【図４】
2010207301.tif 000006
【図５】
2010207301.tif 000007
【図６】
2010207301.tif 000008
【図７】
2010207301.tif 000009
【図８】
2010207301.tif 000010
【図９】
2010207301.tif 000011